(57)【要約】【課題】  指を差し込んだ状態で持つようにしたので、飲み物を入れたコップの重さを確実に受け止めることが出来ることから、飲む時も持って歩く時も安心安全に使用できるし、使用中に指掛け用帯状体が剥がれ落ちる危険もない指掛け付紙製コップを提供する。【解決手段】  紙製コップ本体２は筒部２Ａと底部とから構成してある。筒部２Ａに指掛け用帯状体３が上端側３Ａと下端側３Ｂを接着して設けてある。指掛け用帯状体３は、中間に谷折り部３Ｃと山折り部３Ｄを形成してあり、上部側は内側折込み部３Ｅに、下部側は内側折込み部３Ｅに重なる外側折込み部３Ｆにしてある。コップ本体２と指掛け用帯状体３の間に人差し指を差し込み、コップ本体２の上端側に親指を添えることで飲み物の入ったコップ本体を確実に支えることが出来る。【選択図】図４
2015217988.tif 000002
【特許請求の範囲】
【請求項１】
上方が開口した有底の紙製コップ本体と、該コップ本体の縦寸法より若干長い長さからなり、コップ本体の筒部外面に上端側と下端側を固着して設けた指掛け用帯状体とから構成し、該指掛け用帯状体は、中間に形成した谷折り部と山折り部を介して上部側を内側折込み部に、下部側を該内側折込み部に重なる外側折込み部とすることにより、該指掛け用帯状体は前記コップ本体に対して引離し可能としてあることｋを特徴とする指掛け付紙製コップ。
【発明の詳細な説明】
【技術分野】
【０００１】  本発明は、例えば熱いコーヒー、お茶等の熱い飲み物を安全に運びまた飲むことが出来る指掛け付紙製コップに関する。
【背景技術】
【０００２】  紙製コップは熱が伝わりやすいので、熱い飲み物を入れた時には手で持つのが困難であるし、危険性が伴っていた。そこで、紙製コップの筒部に蝶の羽の様な紙製のつまみを設け、掴む時は引き起こして掴むことにより紙製コップの熱が伝わらないようにしたものが知られている（特許文献１）。【０００３】  また、胴部における両側辺部の重合わせ部外側辺に、高さ方向での中央部が内側辺部に固着され、この固着部を境とする上下部に、切取線によって縦長帯状に形成され、かつ内側胴部から剥離可能とした上下の手掛用片を形成した手付きカップが提案されている（特許文献２）。
【先行技術文献】
【特許文献】
【０００４】
【特許文献１】特許第４１２００４２号公報
【特許文献２】実開昭５８−１３９４２０号公報
【発明の概要】
【発明が解決しようとする課題】
【０００５】  しかし、特許文献１の紙製コップは、つまみを指先で掴むので片手がふさがるという欠点がある。又つまみを左右から挟むだけなので、全体の重さを確実に受け止める力が働かないため、不安定であり危険性があるという欠点がある。
また、特許文献２の手付きカップは、使用者が切り取り線で手掛け用片部を切り離す手間が掛るという欠点、上下手掛け用片の端部を圧着する方法であり、圧着が弱いと上下手掛け用片が剥がれてカップを落としてしまうという欠点、手掛け用片の一方の端に感圧性接着剤を塗布してあるが、カップを重ねた状態では下側のカップの内面に接着剤が付着してしまうという欠点もある。【０００６】  本発明は上述した従来技術の諸欠点に鑑みなされたもので、指を差し込んだ状態で持つようにしたので、飲み物を入れたコップの重さを確実に受け止めることが出来ることから、飲む時も持って歩く時も安心安全に使用できるし、使用中に剥がれ落ちる危険もない指掛け付紙製コップを提供することを目的とする。
【課題を解決するための手段】
【０００７】  上述した課題を解決するために構成した本発明の手段は、上方が開口した有底の紙製コップ本体と、該コップ本体の縦寸法より若干長い長さからなり、コップ本体の筒部外面に上端側と下端側を固着して設けた指掛け用帯状体とから構成し、該指掛け用帯状体は、中間に形成した谷折り部と山折り部を介して上部側を内側折込み部に、下部側を該内側折込み部に重なる外側折込み部とすることにより、該指掛け用帯状体は前記コップ本体に対して引離し可能としたことにある。
【発明の効果】
【０００８】  本発明は、上記のごとく構成したから下記の諸効果を奏する。
（１）使用時には、指掛け用帯状体を引き出して指を差し込み、親指をコップ本体の上端側に添えるだけで飲み物の入ったコップ本体の重さを指の上側面で支えることが出来るから、確実かつ安全にコップ本体を持つことが出来る。従って飲み物が入っていても容易に持ち歩くことが出来る。
（２）指掛け用帯状体に指を差し込み、親指をコップ本体の上端側に添えるだけで、コップの筒部に手の平を触れずに持つことが出来るので、熱い飲み物が入っていても火傷などの危険性がない。
（３）上記２のようにしてコップ本体を持つので、コップ本体を確実に支える事が出来るから、従来技術の様に指先の力の入れ具合で不安定さを招くということはないし、接着部が剥がれてコップを落とすといった危険も無く極めて安全である。
（４）指掛け用帯状体には１本の指を差し込み、親指をコップ本体の上端側に添えるだけで確実に安全にコップ本体を持つことが出来るので、コップにも指掛け用帯状体にも触れていない他の指に小袋等を下げて持つことが出来る。
【図面の簡単な説明】
【０００９】
【図１】本発明の実施の形態に係る指掛け付紙製コップの正面図
【図２】紙製コップの底面図
【図３】紙製コップの右側面図
【図４】指掛け用帯状体を引き出した状態の斜視図
【図５】紙製コップの使用状態の斜視図
【図６】紙製コップの使用状態の平面図
【発明を実施するための形態】
【００１０】  以下、本発明の実施の形態を図面に基づき詳述する。１は指掛け付紙製コップ、２は該紙製コップ１を構成するコップ本体で、該コップ本体２は筒部２Ａと筒部２Ａの下端側を閉塞する底部２Ｂとから構成してある。
【００１１】  ３は紙製の指掛け用帯状体を示す。該指掛け用帯状体３はコップ本体２の縦寸法より若干長い長さからなり、上端側３Ａと下端側３Ｂを筒部２Ａの外面に接着することにより固着してある。指掛け用帯状体３は、中間より上側に谷折り部３Ｃを、中間より下側に山折り部３Ｄを形成することにより、上端側３Ａから下方に伸びる部分を内側折り込み部３Ｅとし、下端側３Ｂから上方に伸びて該内側折り込み部３Ｅに重なる部分を外側折り込み部３Ｆとしてあり、指掛け用帯状体３は略Ｚ字状に折り畳んだ状態になっている。
【００１２】  指掛け用帯状体３は筒部２Ａに上端側３Ａと下端側３Ｂとが接着してあり、使用時は該指掛け用帯状体３を筒部２Ａの面より引離し谷折り部３Ｃと山折り部３Ｄの各々を平らにし、指掛け用帯状体３を略Ｃ字状にする。
【００１３】  コップ本体２を持つ時は指掛け用帯状体３に指を差し込み、更に親指をコップ本体２の上端に添わすようにすることで、コップ本体２の重さを指の上側面で支えることができるから、飲み物の熱さの影響を受けることなく安全に該指掛け付紙製コップ１を持つことができる。
【００１４】  また、握力が弱い人は、指掛け用帯状体３に指を差し込んだだけでも指掛け付紙製コップ１を持つことが出来る。
【００１５】  コップ本体２は人指し指と親指だけで持つことができるから、他の指に小袋などを掛けて持つこともできる。
【符号の説明】
【００１６】１    指掛け付紙製コップ
２    コップ本体
２Ａ  筒部
２Ｂ  底部
３    指掛け用帯状体
３Ａ  上端側
３Ｂ  下端側
３Ｃ  谷折り部
３Ｄ  山折り部
３Ｅ  内側折込み部
３Ｆ  外側折込み部
【図１】
2015217988.tif 000003
【図２】
2015217988.tif 000004
【図３】
2015217988.tif 000005
【図４】
2015217988.tif 000006
【図５】
2015217988.tif 000007
【図６】
2015217988.tif 000008